(57)【要約】【課題】軒天板の軒元支持側から軒先支持側間の方向における軒天板のガタツキを防止できる軒天構造及び支持部材を提供する。【解決手段】軒天板１７の軒先側を支持する軒先側支持部材３と、前記軒天板１７の軒元側を支持する軒元側支持部材２と、前記軒元側支持部材２に設けられており、前記軒天板１７を軒元側に付勢する横方向付勢部２５と、を備えている。この横方向付勢部２５は、図３にも示すように、例えば、前記立上部２３の略中央側にバーリング加工によって形成された横円筒部２５１と、この横円筒部２５１に係止された曲げ板バネ２５２とからなる。【選択図】図１
2019127735.tif 000002
【特許請求の範囲】
【請求項１】
軒天板の軒先側を支持する軒先側支持部材と、前記軒天板の軒元側を支持する軒元側支持部材と、前記軒先側支持部材に設けられており、前記軒天板を軒元側に付勢する横方向付勢部と、を備えていることを特徴とする軒天構造。
【請求項２】
軒天板の軒先側を支持する軒先側支持部材と、前記軒天板の軒元側を支持する軒元側支持部材と、前記軒元側支持部材に設けられており、前記軒天板を軒先側に付勢する横方向付勢部と、を備えていることを特徴とする軒天構造。
【請求項３】
請求項１又は請求項２に記載の軒天構造において、前記軒先側支持部材は、前記軒天板の軒先側の上側に位置する上側部と、前記軒天板の軒先側の下側に位置する下側部と、前記上側部又は下側部に形成されており、前記軒天板をその厚み方向に付勢する厚み方向付勢部と、を備えることを特徴とする軒天構造。
【請求項４】
請求項１〜請求項３のいずれか１項に記載の軒天構造において、前記軒元側支持部材は、前記軒天板の軒元側の上側に位置する上側部と、前記軒天板の軒元側の下側に位置する下側部と、前記上側部又は下側部に形成されており、前記軒天板をその厚み方向に付勢する厚み方向付勢部と、を備えることを特徴とする軒天構造。
【請求項５】
請求項１〜請求項４のいずれか１項に記載の軒天構造において、前記軒先側支持部材は桁行方向に間隔をおいて複数配置されており、これら軒先側支持部材及び前記横方向付勢部が軒先側見切によって覆われており、前記軒先側見切に設けた通気孔形成部の通気孔を通して軒天裏と屋外とが連通することを特徴とする軒天構造。
【請求項６】
請求項５に記載の軒天構造において、前記軒先側見切には、前記通気孔を通して浸入した水を下方に落とす水返しが形成されていることを特徴とする軒天構造。
【請求項７】
請求項５又は請求項６に記載の軒天構造において、前記軒先側見切の内側には、火災時の熱で膨張する熱膨張防火材が、膨張時に前記通気孔を遮蔽するように配置されていることを特徴とする軒天構造。
【請求項８】
軒天板の軒先側を支持する軒先側支持部材であって、前記軒天板を軒元側に付勢する横方向付勢部を備えることを特徴とする軒先側支持部材。
【請求項９】
請求項８に記載の軒先側支持部材において、前記軒天板の軒先側の上側に位置する上側部と、前記軒天板の軒先側の下側に位置する下側部と、前記上側部又は下側部に形成されており、前記軒天板をその厚み方向に付勢する厚み方向付勢部と、を備えることを特徴とする軒先側支持部材。
【請求項１０】
軒天板の軒元側を支持する軒元側支持部材であって、前記軒天板を軒先側に付勢する横方向付勢部を備えることを特徴とする軒元側支持部材。
【請求項１１】
請求項１０に記載の軒元側支持部材において、前記軒天板の軒元側の上側に位置する上側部と、前記軒天板の軒元側の下側に位置する下側部と、前記上側部又は下側部に形成されており、前記軒天板をその厚み方向に付勢する厚み方向付勢部と、を備えることを特徴とする軒元側支持部材。
【発明の詳細な説明】
【技術分野】
【０００１】
この発明は、建物の軒天構造、軒先側支持部材及び軒元側支持部材に関する。
【背景技術】
【０００２】
軒天井板の納まりにおいては、軒天板の表面から釘・螺子によって軒天板を建物側に固定するのが一般的である。その場合、釘・螺子部の補修が必要となり、その箇所が目立つという不具合があった。また、一部金物を使用しても軒天板の表面から釘・螺子を一切使用しないのは困難であった。
【０００３】
特許文献１には、互いに対向する外壁と鼻板にそれぞれ軒天井材を挿入支持する挿入溝が形成され、外壁側挿入溝内には軒天井材の抜け止め用の係止片が形成され、前記両挿入溝内に軒天井材の両端が挿入されて支持される軒天井取付構造が開示されている。
【先行技術文献】
【特許文献】
【０００４】
【特許文献１】特開平４−２８５２４６号
【発明の概要】
【発明が解決しようとする課題】
【０００５】
しかしながら、前記軒天井取付構造は、軒天井材の前記両挿入溝内への挿入力で軒天井材の端部を係止し、この係止によって、軒天井材の軒元支持側から軒先支持側間の方向における軒天井材のガタツキを防止することが可能になると考えられるものの、前記係止が不十分であった場合や、経年変化による係止力の低下等が生じた場合等には、軒天井材のガタツキを適切に防止することができない。
【０００６】
そこで、この発明は、前記従来技術のような係止を採用せずに、軒天板の軒元支持側から軒先支持側間の方向における軒天板のガタツキを適切に防止できる軒天構造、軒先側支持部材及び軒元側支持部材を提供することを課題とするものである。
【課題を解決するための手段】
【０００７】
前記の課題を解決するこの発明の軒天構造は、軒天板の軒先側を支持する軒先側支持部材と、前記軒天板の軒元側を支持する軒元側支持部材と、前記軒先側支持部材に設けられており、前記軒天板を軒元側に付勢する横方向付勢部と、を備えていることを特徴とする。
【０００８】
この構成であれば、軒天板に経年変化による軒元支持側から軒先支持側間の方向の痩せが生じたとしても、この痩せに前記横方向付勢部が追従して軒天板を軒元側に押すので、当該方向の経年によるガタツキを防止することができる。
【０００９】
また、この発明の軒天構造は、軒天板の軒先側を支持する軒先側支持部材と、前記軒天板の軒元側を支持する軒元側支持部材と、前記軒元側支持部材に設けられており、前記軒天板を軒先側に付勢する横方向付勢部と、を備えていることを特徴とする。
【００１０】
この構成であれば、軒天板に経年変化による軒元支持側から軒先支持側間の方向の痩せが生じたとしても、この痩せに前記横方向付勢部が追従して軒天板を軒先側に押すので、当該方向の経年によるガタツキを防止することができる。
【００１１】
前記軒先側支持部材は、前記軒先側支持部材は、前記軒天板の軒先側の上側に位置する上側部と、前記軒天板の軒先側の下側に位置する下側部と、前記上側部又は下側部に形成されており、前記軒天板をその厚み方向に付勢する厚み方向付勢部と、を備えてもよい。この構成であれば、軒天板の軒先側における軒天板の厚み方向の支持隙間の発生も防止できるようになり、軒天板の軒先側での前記厚み方向のガタツキも防止できる。
【００１２】
前記軒元側支持部材は、前記軒天板の軒元側の上側に位置する上側部と、前記軒天板の軒元側の下側に位置する下側部と、前記上側部又は下側部に形成されており、前記軒天板をその厚み方向に付勢する厚み方向付勢部と、を備えてもよい。この構成であれば、軒天板の軒元側における軒天板の厚み方向の支持隙間の発生も防止できるようになり、軒天板の軒元側での前記厚み方向のガタツキも防止できる。
【００１３】
前記軒先側支持部材は桁行方向に間隔をおいて複数配置されており、これら軒先側支持部材及び前記横方向付勢部が軒先側見切によって覆われており、前記軒先側見切に設けた通気孔形成部の通気孔を通して軒天裏と屋外とが連通してもよい。この構成であれば、軒天裏の換気が行えるようになる。
【００１４】
前記軒先側見切には、前記通気孔を通して浸入した水を下方に落とす水返しが形成されていてもよい。この構成であれば、軒天裏への雨水の浸入を抑制できる。
【００１５】
前記軒先側見切の内側には、火災時の熱で膨張する熱膨張防火材が、膨張時に前記通気孔を遮蔽するように配置されていてもよい。この構成であれば、火災時において炎が前記通気孔から軒天裏に入り込むのを抑制できる。
【００１６】
また、この発明の軒先側支持部材は、軒天板の軒先側を支持する軒先側支持部材であって、前記軒天板を軒元側に付勢する横方向付勢部を備えることを特徴とする。また、この軒先側支持部材は、前記軒天板の軒先側の上側に位置する上側部と、前記軒天板の軒先側の下側に位置する下側部と、前記上側部又は下側部に形成されており、前記軒天板をその厚み方向に付勢する厚み方向付勢部と、を備えてもよい。
【００１７】
また、この発明の軒元側支持部材は、軒天板の軒元側を支持する軒元側支持部材であって、前記軒天板を軒先側に付勢する横方向付勢部を備えることを特徴とする。また、この軒元側支持部材は、前記軒天板の軒元側の上側に位置する上側部と、前記軒天板の軒元側の下側に位置する下側部と、前記上側部又は下側部に形成されており、前記軒天板をその厚み方向に付勢する厚み方向付勢部と、を備えてもよい。
【発明の効果】
【００１８】
以上のように、この発明であれば、軒天板の軒元支持側から軒先支持側間の方向（軒の突出方向、梁間方向）における支持隙間の発生を防止して当該方向における軒天板のガタツキを防止できる。また、軒天板に経年変化による軒元支持側から軒先支持側間の方向の痩せによるガタツキも防止することができる。また、厚み方向付勢部を備えると、軒天板の厚みのバラツキによる厚み方向のガタツキも防止することがで、軒下から軒天板の支持箇所が見えるような場合でも、当該支持箇所において段差を見えにくくできるという効果を奏する。
【図面の簡単な説明】
【００１９】
【図１】本発明の実施形態にかかる軒天構造の側面視による説明図である。
【図２】図１の軒天構造で用いられている軒元側見切の側面視を示した説明図である。
【図３】図１の軒天構造で用いられている軒元側支持部材の平面と正面と側面を示した説明図である。
【図４】図１の軒天構造で用いられている軒先側支持部材及び釘を示した立体図である。
【図５】図４のＡ−Ａ矢視断面図である。
【図６】同図（ａ）は図１の軒天構造で用いられている軒先側見切の側面視を示した説明図であり、同図（ｂ）は軒先側見切の通気孔を示した説明図である。
【図７】本発明の他の実施形態にかかる軒天板を斜めに配置した軒天構造の軒元側の側面視を示した説明図である。
【図８】図７の軒天構造で用いられている軒元側支持部材の平面と正面と側面を示した説明図である。
【図９】本発明の他の実施形態にかかる軒元側支持部材の平面と正面と側面を示した説明図である。
【図１０】本発明の他の実施形態にかかる軒元側支持部材の側面を示した説明図である。
【図１１】本発明の他の実施形態にかかる軒元側支持部材の平面と正面と側面を示した説明図である。
【図１２】本発明の他の実施形態にかかる軒先側支持部材等の側面を示した説明図である。
【図１３】本発明の他の実施形態にかかる軒天構造の側面視による説明図である。
【図１４】本発明の他の実施形態にかかる軒元側支持部材の平面と正面と側面を示した説明図である。
【図１５】本発明の他の実施形態にかかる軒先側支持部材等の側面を示した説明図である。
【発明を実施するための形態】
【００２０】
以下、この発明の実施形態を添付図面に基づき具体的に説明する。図１に示すように、この実施形態の軒天構造においては、軒元側見切１及び軒元側支持部材（金物）２が、軒元側軒天野縁５の下面から上向きに打ち込まれた釘（螺子でもよい）４によって、当該軒元側軒天野縁５に固定されている。前記軒元側軒天野縁５は、水平に打ち込まれた図示しない釘によって、外壁材及び外壁下地に固定されている。
【００２１】
前記軒元側見切１は、桁行方向に長い長尺部材（例えば３０００ｍｍ程度）とされるのに対し、前記軒元側支持部材２は桁行方向に間隔（例えば４５５ｍｍ間隔）を置いて配置される短尺部材とされる。前記釘４は、前記軒元側支持部材２及び前記軒元側見切１の上側部を貫通して前記軒元側軒天野縁５の下面に打ち込まれている。前記軒元側支持部材２は前記軒元側見切１ごと前記軒元側軒天野縁５に釘固定されている。
【００２２】
前記軒元側見切１は、図２にも示すように、上側部と、下側部と、これらを繋ぐ立上部とを備えて断面略コ字形状を有している。また、前記軒元側支持部材２も同様に、上側部２１と、下側部２２と、これらを繋ぐ立上部２３とを備えて断面略コ字形状を有している。
【００２３】
前記軒元側見切１は、前記軒元側支持部材２の外面を覆うことができるように、当該軒元側支持部材２よりも一回り大きくされている。この軒元側見切１の上側部は、前記軒元側軒天野縁５の下面に当接しており、前記立上部は外壁材あるいは外壁下地の表面に当接している。
【００２４】
また、前記軒元側支持部材２の上側部２１は、例えば水平配置される軒天板１７の軒元側の上側に位置しており、下側部２２は前記軒天板１７の軒元側の下側に位置しており、立上部２３側に前記軒天板１７の屋内側の端面が向けられる。
【００２５】
そして、前記軒元側見切１の上側部の屋外側端は、下側に折り返されており、この折り返された部分は、前記軒元側支持部材２の上側部２１の屋外側端に係止される。同様に、前記軒元側見切１の下側部の屋外側端は、上側に折り返されており、この折り返された部分は、前記軒元側支持部材２の下側部２２の屋外側端に係止される。
【００２６】
また、前記軒元側支持部材２における下側部２２の屋外側端の両縁部には、一部が切り込まれて略中央部が上側に突出するように屈曲された山状突出部（厚み方向付勢部）２ａが形成されている。前記山状突出部２ａの先端裾側は、下側部２２と略面一の高さにあり、差し込まれる前記軒天板１７の下面によって当該山状突出部２ａが徐々に下方に押されていくことになる。そして、この山状突出部２ａは、バネ性を備えており、前記軒天板１７の下面に押されて下方に撓むとともに、当該軒天板１７を前記上側部２１の方向（軒天板１７の厚み方向）に押し上げる。
【００２７】
さらに、前記軒元側支持部材２における立上部２３の内側面（屋外側面）には前記軒天板１７の屋内側の端面を受けて、前記軒天板１７を軒先側に付勢する横方向付勢部２５が設けられている。この横方向付勢部２５は、図３にも示すように、例えば、前記立上部２３の略中央側にバーリング加工によって形成された横円筒部２５１と、この横円筒部２５１に係止された曲げ板バネ２５２とからなる。前記曲げ板バネ２５２の中央側には円形の貫通孔が形成されており、この貫通孔に前記横円筒部２５１が圧入やカシメ等によって係止される。また、例えば、曲げ板バネ２５２は上記係止位置から離れる端側ほど軒天板１７の端面に近づくように曲げられている。前記曲げ板バネ２５２は、前記軒天板１７の屋内側の端面を受けて弾性変形し、この弾性変形によって前記軒天板１７を軒先側に付勢する。なお、前記曲げ板バネ２５２はビスや接着剤等を用いて前記立上部２３に固定されてもよい。
【００２８】
一方、軒先側では、軒先側支持部材（金物）３が、軒先側の建物下地である鼻隠し下地１２の下面側から上向きに打ち込まれた釘（螺子でもよい）１８によって、前記鼻隠し下地１２に固定されている。また、前記軒先側支持部材３を覆い隠すように軒先側見切１４が取り付けられる。
【００２９】
前記軒先側見切１４は、上側部と、下側部と、これらを繋ぐ斜め立上部とを備えて断面略Ｚ字形状をなしている。前記軒先側見切１４の上側部の屋外側端は、上側に折り返されている。同様に、前記軒先側見切１４の下側部の屋外側端も、上側に折り返されており、この折り返された部分は、前記軒先側支持部材３の下部側を越えたところに位置している。
【００３０】
また、前記軒先側見切１４は、桁行方向に長い長尺部材（例えば３０００ｍｍ程度）とされるのに対して、前記軒先側支持部材３は、桁行方向に間隔（例えば４５５ｍｍ間隔）を置いて配置される短尺部材とされる。そして、前記軒先側見切１４は、前記鼻隠し下地１２の下面側から上向きに打ち込まれた釘（螺子でもよい）１９によって、前記鼻隠し下地１２の下面に固定されている。前記鼻隠し下地１２の屋外側には軒先側の建物部材である鼻隠し１１が取り付けられる。前記鼻隠し１１は、その下端部が前記軒先側見切１４の下端よりも下方に突出するように設けられている。
【００３１】
前記軒先側支持部材３は、図４及び図５にも示すように、上側部３１と、下側部３２と、これらを繋ぐ縦板部３３とを備えている。上側部３１は、鼻隠し下地１２への取り付け部を成すとともに、前記軒天板１７の軒先側の上側に位置する部位にもなる。また、前記取り付け部には、前記釘１８を通す挿通孔３ａが形成されている。
【００３２】
また、前記軒先側支持部材３の前記縦板部３３は、例えば、上側部３１の一部を切り込んで縦方向（軒天板１７の端面と平行となる方向）に折り曲げて成るものであり、また、前記下側部３２は、例えば、前記縦板部３３の端側が横方向に折り曲げられて、前記軒天板１７の軒先側の下側に位置する。また、前記縦板部３３の略中央位置には、バーリング加工等によって例えば屋内方向に突出する円筒状部が形成されており、この円筒状部内に横方向の雌螺子部３ｂが形成されている。そして、前記雌螺子部３ｂには、屋外側から螺子６が螺合されており、この螺子６をドライバーや六角レンチ等によって回すことで、前記軒天板１７を軒元側に押し込むことができる。なお、図示はしないが、前記螺子６の先端と前記軒天板１７の端面との間に板部材を介在させるようにしてもよい。
【００３３】
前記軒天構造を施工する手順としては、例えば、前記軒元側支持部材２を前記軒元側見切１に装着した状態で、前記軒元側支持部材２を、所定ピッチとなる位置において釘４によって前記軒元側軒天野縁５に固定する。そして、前記軒天板１７の軒元側を前記軒元側支持部材２に差し込み、また、前記軒天板１７の軒先側に前記軒先側支持部材３を仮装着した状態で、この軒先側支持部材３を、前記釘１８によって前記鼻隠し下地１２の下面に固定する。なお、前記の仮装着の状態では、前記螺子６を緩める方向に回しておく。そして、前記螺子６を締める方向に回すことにより、当該螺子６を軒元側に進行させて前記軒天板１７を軒元側方向に押し付ける。この押し付けにより、前記横方向付勢部２５の曲げ板バネ２５２は、前記軒天板１７によって屋内方向に押されて弾性変形し、また、この弾性変形によって、前記軒天板１７を軒先側方向に付勢することになる。その後に、前記軒先側見切１４及び前記鼻隠し１１を取り付ける。もちろん、施工手順はこのような順序に限らない。
【００３４】
また、図６にも示すように、前記軒先側見切１４の斜め立上部は、例えば、複数のスリット状の通気孔１４ａが形成された通気孔形成部をなしていてもよい。前記通気孔１４ａを通して、軒天裏と屋外とが連通することになる。また、前記通気孔形成部は、前記鼻隠し下地１２に対向して位置するとともに、下側ほど前記鼻隠し１１に近づくように傾斜しており、軒下側から雨水が前記通気孔１４ａに入り難くなっている。さらに、前記軒先側見切１４の内側には、火災時の熱で膨張する熱膨張防火材７が、膨張時に前記通気孔１４ａを遮蔽するように配置されている。例えば、前記熱膨張防火材７は、テープ状に形成されており、前記軒先側見切１４の下側部の内面上であって前記螺子６の頭部の下方側で且つ前記通気孔１４ａの下方側となる位置において桁行方向に貼られている。
【００３５】
このような構成の軒天構造であれば、前記螺子６によって軒天板１７が軒元側に押されるとともに、前記横方向付勢部２５が軒天板１７を受けることにより、軒天板１７の軒元支持側から軒先支持側間の方向における支持隙間の発生を防止して当該方向における軒天板のガタツキを防止できるようになる。さらに、軒天板１７に経年変化による軒元支持側から軒先支持側間の方向の痩せが生じたとしても、この痩せに前記横方向付勢部２５が追従して軒天板１７を軒先側に付勢するので、当該方向の経年によるガタツキも防止することができる。
【００３６】
また、前記軒先側支持部材３及び前記螺子６を前記軒先側見切１４によって覆う一方、前記軒先側見切１４に設けた通気孔形成部の通気孔１４ａを通して軒天裏と屋外とを連通させることで、軒天裏の換気が行えるようになる。
【００３７】
また、前記軒先側見切１４の内側に熱膨張防火材７が配置されていると、火災時において炎が前記通気孔１４ａから軒天裏に入り込むのを抑制できる。
【００３８】
また、前記軒元側支持部材２が、前記軒天板１７を前記上側部２１の方向に付勢する山状突出部（厚み方向付勢部）２ａを備えていると、軒天板１７の軒元側における軒天板１７の厚み方向の支持隙間の発生も防止できるようになり、軒天板１７の軒元側での前記厚み方向のガタツキも防止できる。
【００３９】
また、図７に示すように、前記軒天板１７を軒先側が低くなる傾斜配置で設けることもできる。この傾斜配置の構成で用いられる軒元側支持部材２Ａは、図８にも示すように、上側部２１の端部が上側に折り曲げられた取り付け部２４を有している。そして、この取り付け部２４に釘４が挿通され、この釘４が斜め上方向に軒元側軒天野縁５に打ち込まれることで、当該軒元側支持部材２Ａが軒元側軒天野縁５に固定されている。そして、この軒元側支持部材２Ａにおいても、前記横方向付勢部２５を備えることができる。
【００４０】
また、この傾斜配置の構成で用いられる軒元側見切は、図示はしないが、上側部の端部が上側に折り曲げられて前記取り付け部２４に沿うようになっており、この曲げ部分に釘４が打ち込まれる。なお、軒先側においては、鼻隠し下地１２を軒天勾配と垂直の取り合いとすることができる。この形態において、軒元側支持部材２Ａを軒元側見切（先付け）の後で固定する場合もある。
【００４１】
また、前記横方向付勢部２５に替えて、図９に示すように、横方向付勢部２５Ａを用いてもよい。この横方向付勢部２５Ａは、前記立上部２３の中央よりも端側にバーリング加工によって形成された横円筒部２５１Ａと、この横円筒部２５１Ａに係止された曲げ板バネ２５２Ａとを備える。前記曲げ板バネ２５２Ａの端側には円形の貫通孔が形成されており、この貫通孔に前記横円筒部２５１Ａが圧入やカシメ等によって係止される。また、曲げ板バネ２５２Ａは、中央側ほど軒天板１７の端面に近づくように湾曲されている。前記曲げ板バネ２５２Ａは、前記軒天板１７の屋内側の端面を受けて弾性変形し、この弾性変形によって前記軒天板１７を軒先側に付勢する。
【００４２】
また、前記横方向付勢部２５等に替えて、図１０に示すように、横方向付勢部２５Ｂを用いてもよい。この横方向付勢部２５Ｂは、前記立上部２３にバーリング加工によって形成された横円筒部２５１Ｂと、この横円筒部２５１Ｂに横向きで係止されたコイルバネ２５２Ｂとを備える。前記コイルバネ２５２Ｂは、その一端側が前記横円筒部２５１Ａに外嵌或いは螺合等されることで係止される。前記コイルバネ２５２Ｂは、前記軒天板１７の屋内側の端面を受けて縮み、この縮みによって前記軒天板１７を軒先側に付勢する。
【００４３】
また、前記横方向付勢部２５等に替えて、図１１に示すように、横方向付勢部２５Ｃを用いてもよい。この横方向付勢部２５Ｃは、前記立上部２３の両端側において一部が切り込まれて例えば下端側が屋外側（軒先側）に突出するように屈曲された片状部位２５３からなっている。そして、この片状部位２５３は、バネ性を備えており、前記軒天板１７の屋内側端面に押されて屋内側に撓むとともに、当該軒天板１７を軒先方向に付勢する。また、かかる構成では、前記片状部位２５３は前記立上部２３の一部を利用して作製されることになり、別途バネ等を必要としないので、コスト低減を図ることができる。
【００４４】
また、図１２に示すように、前記軒先側支持部材３の縦板部３３の内側面（屋内側面）に、前記軒天板１７の屋外側の端面を受けて、前記軒天板１７を軒元側に付勢する横方向付勢部３５が設けられていてもよいものである。この横方向付勢部３５は、例えば、前記縦板部３３の両端において一部が切り込まれて例えば下端側が屋内側（軒元側）に突出するように屈曲された片状部位３５１からなっている。そして、この片状部位３５１は、バネ性を備えており、前記軒天板１７の屋外側端面に押されて屋外側に弾性変形するとともに、この弾性変形によって当該軒天板１７を軒元方向に付勢する。もちろん、前記横方向付勢部３５は、片状部位３５１に限らず、曲げ板バネ等を用いて構成されていてもよい。また、この軒先側支持部材３についても、例えば、その下側部３２の屋内側端の両縁部に、一部が切り込まれて略中央部が上側に突出するように屈曲された山状突出部（厚み方向付勢部）３ｃが形成されていてもよい。前記山状突出部３ｃの先端裾側は、下側部３２と略面一の高さにあり、差し込まれる前記軒天板１７の下面によって当該山状突出部３ｃが徐々に下方に押されていくことになる。この山状突出部３ｃは、バネ性を備えており、前記軒天板１７の下面に押されて下方に撓むとともに、当該軒天板１７を前記上側部３１の方向（軒天板１７の厚み方向）に押し上げる。これによれば、軒天板１７の軒先側における軒天板１７の厚み方向の支持隙間の発生も防止できるようになり、軒天板１７の軒先側での前記厚み方向のガタツキも防止できる。
【００４５】
また、図１３に示すように、前記軒先側支持部材３の縦板部３３に、前記軒天板１７の屋外側の端面を受けて、前記軒天板１７を軒元側に付勢する横方向付勢部３５Ａが設けられていてもよい。前記縦板部３３には、例えばバーリング加工等によって屋内方向に突出する円筒状部が形成されており、この円筒状部内に横方向の雌螺子部３ｂが形成されている。前記横方向付勢部３５Ａは、前記雌螺子部３ｂと、この雌螺子部３ｂに螺合されたコイルバネ６０とからなる。前記コイルバネ６０は屋外側から螺合されており、弾性によって前記軒天板１７を軒元側に押し込むことができ、軒天板１７の軒元支持側から軒先支持側間の方向における支持隙間の発生を防止して当該方向における軒天板１７のガタツキを防止できるようになる。また、軒天板１７に経年変化による軒元支持側から軒先支持側間の方向の痩せが生じたとしても、この痩せに前記コイルバネ６０が追従して軒天板１７を軒元側に押すことができるので、当該方向の経年によるガタツキを防止することができる。
【００４６】
また、前記軒元側支持部材２（２Ａも同様）は、例えば、図１４に示すように、上側部２１に谷状突出部（厚み方向付勢部）２ｂが形成されていてもよい。この谷状突出部２ｂは、前記上側部２１の屋外側端の両縁部に一部が切り込まれて略中央部が下側に突出するように屈曲されている。前記谷状突出部２ｂの先端側は、上側部２１と略面一の高さにあり、差し込まれる前記軒天板１７の上面によって当該谷状突出部２ｂが徐々に上方に押されていくことになる。そして、この谷状突出部２ｂは、バネ性を備えており、前記軒天板１７の上面に押されて上方に撓むとともに、当該軒天板１７を前記下側部２２の方向（軒天板１７の厚み方向）に押し下げる。
【００４７】
また、前記軒先側支持部材３は、例えば、図１５に示すように、上側部３１に谷状突出部（厚み方向付勢部）３ｄが形成されていてもよい。この谷状突出部３ｄは、前記上側部３１の屋内側端の両縁部に一部が切り込まれて略中央部が下側に突出するように屈曲されている。前記谷状突出部３ｄの先端裾側は、上側部３１と略面一の高さにあり、差し込まれる前記軒天板１７の上面によって当該谷状突出部３ｄが徐々に上方に押されていくことになる。そして、この谷状突出部３ｄは、バネ性を備えており、前記軒天板１７の上面に押されて上方に撓むとともに、当該軒天板１７を前記下側部３２の方向（軒天板１７の厚み方向）に押し下げる。
【符号の説明】
【００４８】
１        ：軒元側見切
１Ａ      ：軒元側見切
２        ：軒元側支持部材
２Ａ      ：軒元側支持部材
２ａ      ：山状突出部（厚み方向付勢部）
２ｂ      ：谷状突出部（厚み方向付勢部）
３        ：軒先側支持部材
３ａ      ：挿通孔
３ｂ      ：雌螺子部
３ｃ      ：山状突出部（厚み方向付勢部）
３ｄ      ：谷状突出部（厚み方向付勢部）
４        ：釘
５        ：軒元側軒天野縁
６        ：螺子
７        ：熱膨張防火材
１２      ：下地
１４      ：軒先側見切
１４ａ    ：通気孔
１７      ：軒天板
１８      ：釘
２１      ：上側部
２２      ：下側部
２３      ：立上部
２４      ：取り付け部
２５      ：横方向付勢部
２５Ａ    ：横方向付勢部
２５Ｂ    ：横方向付勢部
２５Ｃ    ：横方向付勢部
３１      ：上側部
３２      ：下側部
３３      ：縦板部
３５      ：横方向付勢部
３５Ａ    ：横方向付勢部
６０      ：コイルバネ
２５１    ：横円筒部
２５１Ａ  ：横円筒部
２５１Ｂ  ：横円筒部
２５２    ：曲げ板バネ
２５２Ａ  ：曲げ板バネ
２５２Ｂ  ：コイルバネ
２５３    ：片状部位
３５１    ：片状部位
【図１】
2019127735.tif 000003
【図２】
2019127735.tif 000004
【図３】
2019127735.tif 000005
【図４】
2019127735.tif 000006
【図５】
2019127735.tif 000007
【図６】
2019127735.tif 000008
【図７】
2019127735.tif 000009
【図８】
2019127735.tif 000010
【図９】
2019127735.tif 000011
【図１０】
2019127735.tif 000012
【図１１】
2019127735.tif 000013
【図１２】
2019127735.tif 000014
【図１３】
2019127735.tif 000015
【図１４】
2019127735.tif 000016
【図１５】
2019127735.tif 000017